(57)【要約】【課題】仕切板に対向した状態で機械室内に配置される第１基板とケーシングの前面に対向した状態で配置される第２基板とを有する室外ユニットの電装品ユニットにおいて、機械室内に配置される室外側冷媒回路構成部品や基板上における電装品のレイアウトを容易にする。【解決手段】電装品ユニット６１は、電装品が実装された第１及び第２基板７１、８１と、ユニット躯体６２と、リアクタ８４とを備えている。ユニット躯体６２は、第１基板７１が取り付けられており仕切板５６に対向した状態で機械室Ｓ２内に配置される第１基板取付部６３と、第２基板８１が取り付けられておりユニットケーシング５１の前面に対向した状態で配置される第２基板取付部６４とを有している。リアクタ８４は、第１基板取付部６３と第２基板取付部６４との間に形成される略三角柱状の空間Ｓ３に配置されており、ユニット躯体６２に取り付けられている。【選択図】図５
2008298345.tif 000002
【特許請求の範囲】
【請求項１】
略直方体形状のケーシング（５１）の内部空間が鉛直に延びる仕切板（５６）によって左右に分割されることで送風機室（Ｓ１）及び機械室（Ｓ２）が形成された構造を有する室外ユニットにおいて、前記ケーシング内に配置される電装品ユニットであって、
電装品が実装された第１及び第２基板（７１、８１）と、
前記第１基板が取り付けられており前記仕切板に対向した状態で前記機械室内に配置される第１基板取付部（６３）と、前記第２基板が取り付けられており前記ケーシングの前面に対向した状態で配置される第２基板取付部（６４）とを有するユニット躯体（６２）と、
前記第１基板取付部と前記第２基板取付部との間に形成される略三角柱状の空間（Ｓ３）に配置されており、前記ユニット躯体に取り付けられたリアクタ（８４）と、
を備えた電装品ユニット（６１）。
【請求項２】
前記リアクタ（８４）は、前記第２基板取付部（６４）に取り付けられている、請求項１に記載の電装品ユニット（６１）。
【請求項３】
前記第２基板取付部（６４）は、前記第２基板（８１）が取り付けられる基板取付プレート（８２）と、基板取付プレートの背面を覆う支持プレート（８３）とを有しており、
前記リアクタ（８４）は、前記支持プレートに取り付けられており、
前記支持プレートの前記リアクタが取り付けられる部分は、前記基板取付プレートとの間に隙間（Ｓ４）を空けて配置されている、
請求項２に記載の電装品ユニット（６１）。
【発明の詳細な説明】
【技術分野】
【０００１】
本発明は、電装品ユニット、特に、略直方体箱状のケーシングの内部空間が鉛直に延びる仕切板によって左右に分割されることで送風機室及び機械室が形成された構造を有する室外ユニットにおいて、ケーシング内に配置される電装品ユニットに関する。
【背景技術】
【０００２】
従来の室外ユニットとして、略直方体箱状のケーシングの内部空間が鉛直に延びる仕切板により左右に分割されることで送風機室及び機械室が形成された構造を有するものがある。このような室外ユニットのケーシング内には、圧縮機、熱交換器、弁や冷媒管等の室外側冷媒回路構成部品と電装品ユニットとが配置されている。そして、室外側冷媒回路構成部品のうち熱交換器を除く部品は、機械室の上下方向の中間部から下部の空間に配置されている。また、電装品ユニットは、主として、仕切板に対向した状態で機械室内に配置される第１基板と、ケーシングの前面に対向した状態で配置される第２基板とを有しており、機械室の上部の空間に配置されている。第１基板には、主として、運転中の発熱量が多いインバータ制御素子等が実装されている。また、第２基板には、主として、運転中の発熱量が小さいマイコン等が実装されている（特許文献１参照）。
【特許文献１】特開２００５−０７６９２５号公報
【発明の開示】
【発明が解決しようとする課題】
【０００３】
このような室外ユニットにおいては、圧縮機等を駆動するモータの整流回路等を構成するリアクタも配置されている。ここで、機械室内において電装品ユニットと別にリアクタを設ける場合には、リアクタを取り付けるためのスペースが必要となることから、機械室内に配置される室外側冷媒回路構成部品のレイアウトが制約されるという問題があり、また、電装品ユニットにリアクタを設ける場合には、リアクタが運転中の発熱量が多い電装品であることを考慮して第１基板とともに配置することが望ましいが、リアクタを第１基板とともに配置すると、第１基板上に実装できる電装品の数や種類が制限されたり、第１基板上に実装できなくなった電装品を第２基板上に実装せざるを得なくなる等のように、基板上における電装品のレイアウトが制約されるという問題がある。
【０００４】
本発明の課題は、仕切板に対向した状態で機械室内に配置される第１基板とケーシングの前面に対向した状態で配置される第２基板とを有する室外ユニットの電装品ユニットにおいて、機械室内に配置される室外側冷媒回路構成部品や基板上における電装品のレイアウトを容易にすることにある。
【課題を解決するための手段】
【０００５】
第１の発明にかかる電装品ユニットは、略直方体形状のケーシングの内部空間が鉛直に延びる仕切板によって左右に分割されることで送風機室及び機械室が形成された構造を有する室外ユニットにおいて、ケーシング内に配置される電装品ユニットであって、電装品が実装された第１及び第２基板と、ユニット躯体と、リアクタとを備えている。ユニット躯体は、第１基板が取り付けられており仕切板に対向した状態で機械室内に配置される第１基板取付部と、第２基板が取り付けられておりケーシングの前面に対向した状態で配置される第２基板取付部とを有している。リアクタは、第１基板取付部と第２基板取付部との間に形成される略三角柱状の空間に配置されており、ユニット躯体に取り付けられている。
【０００６】
この電装品ユニットでは、リアクタを第１基板取付部と第２基板取付部との間に形成される略三角柱状の空間に配置するとともに、ユニット躯体に取り付けることで、機械室内のスペースを有効利用することができるため、機械室内において電装品ユニットと別にリアクタを設ける場合とは異なり、別途リアクタを取り付けるためのスペースを確保する必要がなくなる。これにより、機械室内に配置される室外側冷媒回路構成部品のレイアウトが制約されるという問題が生じにくくなる。
【０００７】
第２の発明にかかる電装品ユニットは、第１の発明にかかる電装品ユニットにおいて、リアクタは、第２基板取付部に取り付けられている。
【０００８】
この電装品ユニットでは、リアクタを第２基板取付部に取り付けることで、第１基板とともにリアクタを第１基板取付部に配置する必要がなくなるため、電装品ユニットにリアクタを設ける場合であるにもかかわらず、第１基板上に実装できる電装品の数や種類が制限されたり、第１基板上に実装できなくなった電装品を第２基板上に実装せざるを得なくなる等の問題が生じなくなる。これにより、第１基板上における他の電装品のレイアウトが制約されるという問題が生じにくくなる。しかも、第１基板とともにリアクタを第１基板取付部に配置する場合と同様、リアクタと第１基板との結線も容易である。
【０００９】
第３の発明にかかる電装品ユニットは、第２の発明にかかる電装品ユニットにおいて、第２基板取付部は、第２基板が取り付けられる基板取付プレートと、基板取付プレートの背面を覆う支持プレートとを有している。そして、リアクタは、支持プレートに取り付けられており、支持プレートのリアクタが取り付けられる部分は、基板取付プレートとの間に隙間を空けて配置されている。
【００１０】
この電装品ユニットでは、リアクタを第２基板取付部の背面を構成する支持プレートに取り付けるとともに、支持プレートのリアクタが取り付けられる部分と第２基板が取り付けられる基板取付プレートとの間に隙間を設けることで、リアクタと第２基板との熱的な接触を避けつつ、しかも、発熱量の大きい第１基板側の電装品とも十分な隙間を確保した状態で第１基板取付部と第２基板取付部との間に形成される略三角柱状の空間に配置することができる。これにより、第２基板がリアクタの発熱により損傷を受ける等の問題を生じさせることなく、リアクタの冷却を促進することができる。
【発明の効果】
【００１１】
以上の説明に述べたように、本発明によれば、以下の効果が得られる。
【００１２】
第１の発明では、機械室内に配置される室外側冷媒回路構成部品のレイアウトが制約されるという問題が生じにくくなる。
【００１３】
第２の発明では、第１基板上における他の電装品のレイアウトが制約されるという問題が生じにくくなる。しかも、リアクタと第１基板との結線も容易である。
【００１４】
第３の発明では、第２基板がリアクタの発熱により損傷を受ける等の問題を生じさせることなく、リアクタの冷却を促進することができる。
【発明を実施するための最良の形態】
【００１５】
以下、図面に基づいて、本発明にかかる電装品ユニットの実施形態について説明する。
【００１６】
（１）室外ユニットの構成
図１は、本発明の一実施形態にかかる電装品ユニット６１が採用された室外ユニット２を示す斜視図（但し、右前板を除いた状態で図示）であり、図２は、図１から天板５３、左前板５４、右前板、左側板及び右側板５５を除いて示した斜視図である。尚、以下の説明において、「上」、「下」、「左」、「右」、「前」、「後」、「正面」、「背面」は、特にことわりのない限り、図１に示される室外ユニット２を正面側（又は前面側）から見た場合の方向を意味するものとする。
【００１７】
室外ユニット２は、略直方体箱状のユニットケーシング５１の内部空間が鉛直に延びる仕切板５６によって左右に分割されることで送風機室Ｓ１及び機械室Ｓ２が形成された構造（いわゆる、トランク型構造）を有するものであり、主として、ユニットケーシング５１と、室外側冷媒回路構成部品（後述）と、室外ファン３６、３７と、室外ユニット２を構成する各部の動作の制御等を行うための電装品ユニット６１とを有している。
【００１８】
ユニットケーシング５１は、主として、底板５２と、天板５３と、左前板５４と、左側板（図１には図示せず）と、右前板（図１には図示せず）と、右側板５５（図１には図示せず）と、仕切板５６とを有している。
【００１９】
底板５２は、ユニットケーシング５１の底面部分を構成する横長の略長方形状の金属製の板状部材である。底板５２の周縁部は、上向きに折り曲げられている。底板５２の外面には、現地据付面に固定される２つの固定脚５７が設けられている。固定脚５７は、ユニットケーシング５１の正面視において略Ｕ字形状を有し、ユニットケーシング５１の前側から後側に向かって延びる金属製の板状部材である。
【００２０】
天板５３は、室外ユニット２の天面部分を構成する横長の略長方形状の金属製の板状部材である。
【００２１】
左前板５４は、主に、ユニットケーシング５１の左前面部分を構成する金属製の板状部材であり、その下部が底板５２にネジ等により固定されている。左前板５４には、室外ファン３６、３７によってユニットケーシング５１の背面側及び左側面側から内部に取り込まれた空気を外部に吹き出すための吹出口５４ａ、５４ｂが設けられている。吹出口５４ａ、５４ｂは、本実施形態において、上下に並んで２つ設けられている。また、各吹出口５４ａ、５４ｂには、それぞれ、ファングリル５８ａ、５８ｂが設けられている。
【００２２】
左側板（図１において図示せず）は、主に、ユニットケーシング５１の左側面部分を構成する金属製の板状部材であり、その下部が底板５２にネジ等により固定されている。この左側板は、ユニットケーシング５１内に吸入される空気の吸入口としても機能できるようになっている。
【００２３】
右前板（図１において図示せず）は、主に、ユニットケーシング５１の右前面部分及び右側面の前側部分を構成する金属製の板状部材であり、その下部が底板５２にネジ等により固定されている。また、右前板は、その左側部が左前板５４の右側部にネジ等により固定されている。
【００２４】
右側板５５は、主に、ユニットケーシング５１の右側面の後側部分及び背面の右側部分を構成する金属製の板状部材であり、その下部が底板５２にネジ等により固定されている。
【００２５】
仕切板５６は、底板５２上に配置される鉛直に延びる金属製の板状部材であり、ユニットケーシング５１の内部空間を左右に分割することで、送風機室Ｓ１と機械室Ｓ２を形成している。仕切板５６は、その下部が底板５２にネジ等により固定されている。本実施形態において、仕切板５６は、本実施形態において、ユニットケーシング５１の平面視において、送風機室Ｓ１側に突出するように湾曲した形状（以下、湾曲面とする）を有している。
【００２６】
このように、ユニットケーシング５１は、その内部空間が仕切板５６によって送風機室Ｓ１と機械室Ｓ２とに分割されている。本実施形態において、送風機室Ｓ１は、仕切板５６の左側の空間であり、底板５２、天板５３、左前板５４、左側板、及び仕切板５６によって形成されている。また、機械室Ｓ２は、仕切板５６の右側の空間であり、底板５２、天板５３、右前板、右側板５５、及び仕切板５６によって形成されている。そして、後述のように、送風機室Ｓ１には、室外側冷媒回路構成部品の１つである室外熱交換器２４と室外ファン３６、３７とが配置され、機械室Ｓ２には、アキュムレータ２１や圧縮機２２等の機器、弁及び冷媒管等の部材を含む室外側冷媒回路構成部品（但し、室外熱交換器２４を除く）と電装品ユニット６１とが配置されている。そして、このユニットケーシング５１では、左前板５４が送風機室Ｓ１に面するように配置されており、右前板が機械室Ｓ２に面するように配置されており、右前板を取り外すことによって、機械室Ｓ２の内部が見えるようになっている。尚、右前板は、左前板５４と一体の部材（以下、前板とする）であってもよく、この場合には、この前板を取り外すことによって、送風機室Ｓ１及び機械室Ｓ２の内部が見えることになる。また、本実施形態においては、室外ユニット２を正面から見て左側に送風機室Ｓ１が配置され、右側に機械室Ｓ２が配置されているが、左右逆の配置であってもよい。このように、本実施形態の室外ユニット２は、前板の少なくとも機械室Ｓ２に面する部分を取り外すことが可能な構造を有するものとなっている。
【００２７】
室外側冷媒回路構成部品としては、主として、アキュムレータ２１と、圧縮機２２と、室外熱交換器２４と、第１閉鎖弁２６と、第２閉鎖弁２７とがある（図１、２参照）。ここで、室外熱交換器２４は、送風機室Ｓ１に配置されており、室外熱交換器２４以外の室外冷媒回路構成部品は、機械室Ｓ２内に配置されている。
【００２８】
アキュムレータ２１は、圧縮機２２の吸入口と四路切換弁２３との間に接続された冷媒回路１０内を循環する低圧冷媒を一時的に溜めるための容器であり、本実施形態において、機械室Ｓ２の右後方の角部に配置されている（図２参照）。
【００２９】
圧縮機２２は、低圧の冷媒を吸入し圧縮して高圧の冷媒とした後に吐出する機能を有する圧縮機であり、本実施形態において、四路切換弁２３等の他の室外側冷媒回路構成部品や電装品ユニット６１を配置する空間を上方に空けた状態で、機械室Ｓ２の平面視略中央に配置されている（図１、２参照）。本実施形態において、圧縮機２２は、圧縮機モータ（図示せず）がハウジング内に内蔵された密閉式圧縮機である（図１、２参照）。
【００３０】
室外熱交換器２４は、本実施形態において、冷房時には室外空気を熱源とする冷媒の冷却器として機能し、暖房時には室外空気を熱源とする冷媒の加熱器として機能する熱交換器である。室外熱交換器２４は、本実施形態において、伝熱管と多数のフィンとにより構成されたクロスフィン式のフィン・アンド・チューブ型熱交換器であり、送風機室Ｓ１内に配置されている。室外熱交換器２４は、平面視Ｌ字形状を有しており、ユニットケーシング５１の左側面及び背面に沿うように配置されている（図２参照）。
【００３１】
第１及び第２閉鎖弁２６、２７は、室外ユニット２側の冷媒管と冷媒連絡管（図示せず）との接続部分に設けられる弁であり、本実施形態において、ユニットケーシング５１の機械室Ｓ２内において、アキュムレータ２１の前方で、かつ、右前板の角部近傍に配置されている（図２、３参照）。
【００３２】
室外ファン３６、３７は、ユニットケーシング５１の左側面及び背面に形成された吸入口（図示せず）を通じて送風機室Ｓ１内に空気を取り込み、室外熱交換器２４を通過させた後に、ユニットケーシング５１の前面に形成された吹出口５４ａ、５４ｂから吹き出すように機能する送風ファンである（図１、２参照）。各室外ファン３６、３７は、本実施形態において、室外ファンモータ３６ａ、３７ａによって駆動されるプロペラファンであり、送風機室Ｓ１内の室外熱交換器２４の前側に配置されている（図１、２参照）。室外ファン３６は吹出口５４ａに対向するように配置されており、室外ファン３７は吹出口５４ｂに対向するように配置されている（図１参照）。すなわち、室外ファン３６と室外ファン３７とは、上下に並んで配置されている（図１、２参照）。尚、本実施形態の室外ユニット２では、２台の室外ファン３６、３７を有する構成であるが、これに限定されるものではなく、例えば、１台の室外ファンを有する場合のように、２台以外の台数の室外ファンを有していてもよい。
【００３３】
電装品ユニット６１は、機械室Ｓ２の上部空間に配置されており、主として、圧縮機モータ（図示せず）や室外ファンモータ３６ａ、３７ａ等の回転数を制御するためのインバータ制御素子等の電装品が実装された第１基板７１と、運転制御を行うためのマイコン等の電装品が実装された第２基板８１とを有している（図１、２参照）。
【００３４】
（２）電装品ユニット及びその周辺の構成
次に、本実施形態の電装品ユニット６１及びその周辺の構成について、図１〜図８を用いて説明する。ここで、図３は、送風機室Ｓ１側から見た室外ユニット２を示す斜視図（但し、圧縮機２２、底板５２、仕切板５６、固定脚５７及び電装品ユニット６１のみを図示）である。図４は、機械室Ｓ２内に設けられた状態の電装品ユニット６１を前面側から見た斜視図（さらに、仕切板５６を２点鎖線で図示）である。図５は、機械室Ｓ２内に設けられた状態の電装品ユニット６１を右側面側から見た斜視図（さらに、仕切板５６を２点鎖線で図示）である。図６は、機械室Ｓ２内に設けられた状態の電装品ユニット６１及び仕切板５６の概略横断面図（但し、第１及び第２基板７１、８１に実装された電装品、リアクタ８４及びヒートシンク７４を２点鎖線で図示）である。図７は、機械室Ｓ２内に設けられた状態の電装品ユニット６１を仕切板５６側から見た図である。図８は、機械室Ｓ２内に設けられる前の状態の電装品ユニット６１をヒートシンク７４側から見た図である。
【００３５】
電装品ユニット６１は、上述の第１及び第２基板７１、８１等が取り付けられるユニット躯体６２を有している。ユニット躯体６２は、主として、第１基板取付部６３と、第２基板取付部６４と、端子台取付部６５とを有している。第１基板取付部６３は、第１基板７１が取り付けられており、仕切板５６に対向した状態で機械室Ｓ２内に配置されている。第２基板取付部６４は、第２基板が取り付けられており、ユニットケーシング５１の前面（ここでは、右前板）に対向した状態で機械室Ｓ２内に配置されている。端子台取付部６５は、電源配線等が接続される第１端子台１０１と室内ユニット（図示せず）との間でやりとりされるデータ伝送用の配線等が接続される第２端子台１０２とが取り付けられており、ユニットケーシング５１の前面（ここでは、右前板）に対向した状態で機械室Ｓ２内に配置されている。
【００３６】
第１基板取付部６３は、主として、第１基板取付プレート７２と、第１支持プレート７３とを有している。第１基板取付プレート７２は、本実施形態において、樹脂製の部材であり、ユニットケーシング５１の前面（ここでは、右前板）に対して傾斜しかつ鉛直に延びる平坦面をなす第１取付プレート本体７２ａと、第１取付プレート本体７２ａの外周縁から反送風機室Ｓ１側に向かって延びる第１取付プレート枠体７２ｂとを有している。そして、第１取付プレート本体７２ａの反送風機室Ｓ１側の面には、電装品としての第１基板７１が、第１取付プレート本体７２ａの平坦面に平行な状態で、ネジ等によって取り付けられている。すなわち、第１基板７１の基板面は、第１基板取付プレート７２の第１取付プレート本体７２ａと同様に、ユニットケーシング５１の前面に対して傾斜しかつ鉛直に延びる平坦面をなしていることになる。また、第１基板７１に実装されたインバータ制御素子等は、運転時における発熱量が大きい電装品であるため、第１取付プレート本体７２ａの送風機室Ｓ１側の面には、第１基板７１に実装された電装品を冷却するためのヒートシンク７４が取り付けられている。ヒートシンク７４は、第１取付プレート本体７２ａの送風機室Ｓ１側の面に装着されるフランジ部７４ａと、フランジ部７４ａの送風機室Ｓ１側の面から送風機室Ｓ１側に向かって突出する複数の冷却フィン７４ｂとを有している。第１支持プレート７３は、第１取付プレート本体７２ａの送風機室Ｓ１側の面を覆うように配置されており、第１基板取付プレート７２に固定されている。第１支持プレート７３は、本実施形態において、金属製の部材であり、電装品ユニット６１が機械室Ｓ２内に設けられた状態において、主として、第１取付プレート本体７２ａの送風機室Ｓ１側の面に接する第１支持プレート本体７３ａと、第１支持プレート本体７３ａの前縁から仕切板５６の湾曲面に沿って前方に延びる前側延出部７３ｂと、第１支持プレート本体７３ａの後縁から仕切板５６の湾曲面に沿って後方に延びる後側延出部７３ｃとを有している。ここで、第１支持プレート本体７３ａは、第１取付プレート本体７２ａの下部を除くほぼ全面を覆っており、第１取付プレート本体７２ａの送風機室Ｓ１側の面から突出するヒートシンク７４の外周を囲む支持プレート開口７３ｄが形成されている。これにより、第１支持プレート７３が第１基板取付プレート７２に固定された状態において、ヒートシンク７４の複数の冷却フィン７４ｂは、支持プレート開口７３ｄを貫通して第１支持プレート本体７３ａの送風機室Ｓ１側に突出している。そして、第１支持プレート７３は、第１基板取付プレート７２に固定された状態において、第１支持プレート本体７３ａ、前側延出部７３ｂ又は後側延出部７３ｃに形成された係合爪やネジ等によって仕切板５６に固定されている。すなわち、第１支持プレート７３は、第１基板取付プレート７２と仕切板５６との間に介在することで、第１基板取付プレート７２の平坦面をなす第１取付プレート本体７２ａが機械室Ｓ２内に位置した状態でかつ仕切板５６の湾曲面に対向した状態になるように、第１基板取付プレート７２を仕切板５６に支持させている。ここで、仕切板５６には、送風機室Ｓ１と機械室Ｓ２とを連通するように仕切板開口５６ａが形成されている。この仕切板開口５６ａは、支持プレート開口７３ｄに対向するように形成されている。また、第１支持プレート本体７３ａは、仕切板開口５６ａの上縁よりも上方まで延びており、第１支持プレート本体７３ａの上縁には、仕切板５６側に延びる上側延出部７３ｅが形成されている。また、第１支持プレート本体７３ａの下縁には、電装品ユニット６１が機械室Ｓ２内に設けられた状態において、送風機室Ｓ１側に向かって延びて仕切板開口５６ａを貫通する下側延出部７３ｆと、この下側延出部７３ｆの送風機室Ｓ１側端から下方に延びる垂下部７３ｇとを有する舌部７３ｈが折り曲げ等により形成されている。
【００３７】
このように、第１基板取付部６３は、その前縁及び後縁が第１支持プレート７３の前側延出部７３ｂ及び後側延出部７３ｃよって仕切板５６の湾曲面に接するように機械室Ｓ２内に配置されている。そして、ヒートシンク７４の複数の冷却フィン７４ｂは、電装品ユニット６１が機械室Ｓ２内に設けられた状態において、送風機室Ｓ１内に突出しており、送風機室Ｓ１内を通過する空気を冷却源として、第１基板７１に実装された電装品の冷却を行うことができるようになっている。
【００３８】
第２基板取付部６４は、主として、第２基板取付プレート８２と、第２支持プレート８３とを有している。第２基板取付プレート８２は、本実施形態において、樹脂製の部材であり、ユニットケーシング５１の前面（ここでは、右前板）に対して平行にかつ鉛直に延びる平坦面をなす第２取付プレート本体８２ａと、第２取付プレート本体８２ａの外周縁からユニットケーシング５１の前面側（以下、単に前面側とする）に向かって延びる第２取付プレート枠体８２ｂとを有している。そして、第２取付プレート本体８２ａの前面側の面（以下、単に第２取付プレート本体８２ａの前面とする）には、電装品としての第２基板８１が、第２取付プレート本体８２ａの平坦面に平行な状態で、ネジ等によって取り付けられている。すなわち、第２基板８１の基板面は、第２基板取付プレート８２の第２取付プレート本体８２ａと同様に、ユニットケーシング５１の前面に対して平行にかつ鉛直に延びる平坦面をなしていることになる。また、第２基板８１に実装されたマイコン等の電装品は、第１基板７１に実装されたインバータ制御素子等に比べて運転時における発熱量が小さいものである。第２支持プレート８３は、第２取付プレート本体８２ａの反前面側の面（以下、単に第２取付プレート本体８２ａの背面とする）を覆うように配置されており、第２基板取付プレート８２に固定されている。第２支持プレート８３は、本実施形態において、金属製の部材であり、電装品ユニット６１が機械室Ｓ２内に設けられた状態において、主として、第２取付プレート本体８２ａの背面を覆う第２支持プレート本体８３ａと、第２支持プレート本体８３ａの左縁から前方に向かって延びる左側延出部８３ｂと、第２支持プレート本体８３ａの下縁から前方に向かって延びる下側延出部８３ｃとを有している。そして、第２支持プレート８３は、第２基板取付プレート８２に固定された状態において、第１及び第２連結部材６６、６７を介して第１支持プレート７３に固定されている。ここで、第１連結部材６６は、本実施形態において、金属製の部材であり、主として、第１支持プレート７３の前端と第２支持プレート８３の左端との間を延びる第１連結部材本体６６ａと、第１連結部材本体６６ａの左縁から第１支持プレート７３の前側延出部７３ｂに沿って延びるとともに前側延出部７３ｂに係合爪やネジ等によって固定される左側延出部６６ｂと、第１連結部材本体６６ａの右縁から第２支持プレート８３の左側延出部８３ｂに沿って延びるとともに左側延出部８３ｂに係合爪やネジ等によって固定される右側延出部６６ｃとを有している。また、第２連結部材６７は、本実施形態において、金属製の部材であり、第１支持プレート７３の上端と第２支持プレート８３の上端との間に掛け渡されるように配置されており、その一端が第１支持プレート７３の上側延出部７３ｅにネジ等によって固定されており、その他端が第２支持プレート８３の第２支持プレート本体８３ａの上端にネジ等によって固定されている。
【００３９】
このように、第２基板取付部６４は、第１基板取付部６３に第１及び第２連結部材６６、６７を介して固定されている。そして、第２基板取付部６４が固定された第１基板取付部６３がユニットケーシング５１の前面に対して傾斜した状態で仕切板５６に固定されており、しかも、第２基板取付部６４がユニットケーシング５１の前面に対向するように配置されていることから、電装品ユニット６１が機械室Ｓ２内に設けられた状態において、第１基板取付部６３と第２基板取付部６４との間には、三角柱状の空間Ｓ３が形成されている。
【００４０】
端子台取付部６５は、主として、第３支持プレート１０３を有している。第３支持プレート１０３は、本実施形態において、金属製の部材であり、ユニットケーシング５１の前面（ここでは、右前板）に対して平行にかつ鉛直に延びる平坦面をなしている。第３支持プレート１０３の上端は、第２支持プレート８３の下側延出部８３ｃにネジ等によって固定されている。そして、第３支持プレート１０３には、第１及び第２端子台１０１、１０２がユニットケーシング５１の前面に対向しかつ左右に並んだ状態で固定されている。
【００４１】
以上のように、電装品ユニット６１は、機械室Ｓ２内に設けられた状態において、ユニット躯体６２を構成する第１基板取付部６３と第２基板取付部６４との間に三角柱状の空間Ｓ３が形成されており、この空間Ｓ３を形成する第１及び第２基板取付部６３、６４に第１及び第２基板７１、８１が取り付けられた構造を有している。
【００４２】
このような構造を有する電装品ユニット６１がユニットケーシング５１内に配置された室外ユニット２においては、圧縮機２２や室外ファン３６、３７等を駆動する室外ファンモータ３６ａ、３７ａの整流回路等を構成する後述のリアクタ８４も配置されている。ここで、機械室Ｓ２内において電装品ユニット６１と別にリアクタ８４を設ける場合には、リアクタ８４を取り付けるためのスペースが必要となることから、機械室Ｓ２内に配置される室外側冷媒回路構成部品のレイアウトが制約されるという問題がある。
【００４３】
そこで、本実施形態の電装品ユニット６１では、リアクタ８４を電装品ユニット６１のユニット躯体６２を構成する第１基板取付部６３と第２基板取付部６４との間に形成される略三角柱状の空間Ｓ３に配置するとともに、ユニット躯体６２に取り付けるようにするようにしている。
【００４４】
これにより、機械室Ｓ２内のスペースの一部である三角柱状の空間Ｓ３を有効利用することができるようになり、機械室Ｓ２内において電装品ユニット６１と別にリアクタ８４を設ける場合とは異なり、別途リアクタ８４を取り付けるためのスペースを確保する必要がなくなるため、機械室Ｓ２内に配置される室外側冷媒回路構成部品のレイアウトが制約されるという問題が生じにくくなる。
【００４５】
ここで、リアクタ８４を取り付ける部材としては、空間Ｓ３にリアクタ８４が配置された状態を確保できるのであれば、ユニット躯体６２を構成する部材のいずれにリアクタ８４を取り付けてもよいのであるが、例えば、リアクタ８４が運転中の発熱量が多い電装品であることを考慮して第１基板７１とともに配置すると、第１基板７１上に実装できる電装品の数や種類が制限されたり、第１基板７１上に実装できなくなった電装品を第２基板８１上に実装せざるを得なくなる等のように、基板７１、８１上における電装品のレイアウトが制約されるという問題がある。
【００４６】
そこで、本実施形態の電装品ユニット６１では、リアクタ８４を第２基板取付部６４に取り付けるようにしている。
【００４７】
これにより、第１基板７１とともにリアクタ８４を第１基板取付部６３に配置する必要がなくなり、電装品ユニット６１にリアクタ８４を設ける場合であるにもかかわらず、第１基板７１上に実装できる電装品の数や種類が制限されたり、第１基板７１上に実装できなくなった電装品を第２基板８１上に実装せざるを得なくなる等の問題が生じなくなるため、第１基板７１上における他の電装品のレイアウトが制約されるという問題が生じにくくなる。しかも、第１基板７１とともにリアクタ８４を第１基板取付部６３に配置する場合と同様、リアクタ８４と第１基板７１との結線も容易である。
【００４８】
しかも、本実施形態の電装品ユニット６１では、第２基板取付部６４にリアクタ８４を取り付けるにあたり、第２基板取付部６４の背面を構成する第２支持プレート８３に取り付けるようにしており、しかも、第２支持プレート８３のリアクタ８４が取り付けられる部分と基板取付プレート８２の背面との間に隙間Ｓ４を空けて配置するようにしている。より具体的には、第２支持プレート８３は、本実施形態において、第２基板取付プレート８２の背面に接する第２支持プレート本体８３ａと、第２支持プレート８３の略中央の部分を構成しており基板取付プレート８２の背面との間に隙間Ｓ４を空けて配置されたリアクタ取付部８３ｄとを有している。そして、このリアクタ取付部８３ｄにリアクタ８４が取り付けられている。また、隙間Ｓ４の上方及び下方は、隙間Ｓ４外（ここでは、空間Ｓ３）と連通するように開口している。
【００４９】
これにより、リアクタ８４と第２基板８１との熱的な接触を避けつつ、しかも、発熱量の大きい第１基板７１側の電装品とも十分な隙間を確保した状態で第１基板取付部６３と第２基板取付部６４との間に形成される略三角柱状の空間Ｓ３に配置することができるため、第２基板８１がリアクタ８４の発熱により損傷を受ける等の問題を生じさせることなく、リアクタ８４の冷却を促進することができる。また、本実施形態においては、隙間Ｓ４の上方及び下方の開口によって隙間Ｓ４内に熱気が滞留しにくくなり、しかも、隙間Ｓ４内における空気の対流を促すことができるため、リアクタ８４と第２基板８１との熱的な接触を避ける効果やリアクタ８４の冷却を促進する効果をさらに高めることができる。尚、リアクタ取付部８３ｄは、第２支持プレート８３と別部材としてもよいが、本実施形態のように、第２基板取付プレート８２の背面を覆う第２支持プレート８３の一部を利用してリアクタ取付部８３ｄを構成するほうが、部品点数を少なくするという効果を得ることができるという点で好ましい。
【００５０】
また、従来の室外ユニットでは、本実施形態における第２基板８１の下側に別基板を設けて、本実施形態における第２基板８１に実装された電装品の一部や第２端子台１０２等をこの別基板に配置する構成を採用しているが、本実施形態では、リアクタ８４を、第１基板取付部６３と第２基板取付部６４との間に形成される略三角柱状の空間Ｓ３に配置するとともに、第２基板取付部６４に取り付けることによって、基板７１、８１上における電装品のレイアウトの制約を少なくして、これによって、従来の室外ユニットにおいて別基板に設けられていた電装品を第２基板８１上に設けることができるようになり、従来の室外ユニットにおいて第２基板８１の下側に設けられていた別基板が削除されている。このように、本実施形態では、電装品ユニット６１全体のコンパクト化が実現されている。
【００５１】
（３）他の実施形態
以上、本発明の実施形態について図面に基づいて説明したが、具体的な構成は、これらの実施形態に限られるものではなく、発明の要旨を逸脱しない範囲で変更可能である。
【００５２】
（Ａ）
上述の実施形態では、第１及び第２連結部材６６、６７が第１〜第３支持プレート７３、８３、１０３とは別の部材であったが、例えば、第２支持プレート８３と第１連結部材６６とを一体の部材にしたり、第２支持プレート８３と第３支持プレート１０３とを一体の部材にする等のように、第１及び第２連結部材６６、６７、第１〜第３支持プレート７３、８３、１０３を一体の部材として構成してもよい。
【００５３】
（Ｂ）
上述の実施形態では、隙間Ｓ４の上方及び下方が空間Ｓ３に開口するようにリアクタ取付部８３ｄが形成されているが、隙間Ｓ４の両側方が空間Ｓ３に開口するようにリアクタ取付部８３ｄが形成されていてもよいし、また、隙間Ｓ４の上方、下方、側方のいずれか一方だけが空間Ｓ３に開口するようにリアクタ取付部８３ｄが形成されていてもよい。但し、隙間Ｓ４内に熱気が滞留しにくくする意味では、上述の実施形態のように、隙間Ｓ４の上方が開口していることが好ましく、また、隙間Ｓ４内における空気の対流を促す意味では、上述の実施形態のように、隙間Ｓ４が空間Ｓ３に２箇所以上開口していることが好ましい。
【産業上の利用可能性】
【００５４】
本発明を利用すれば、仕切板に対向した状態で機械室内に配置される第１基板とケーシングの前面に対向した状態で配置される第２基板とを有する室外ユニットの電装品ユニットにおいて、機械室内に配置される室外側冷媒回路構成部品や基板上における電装品のレイアウトを容易にすることができる。
【図面の簡単な説明】
【００５５】
【図１】本発明の一実施形態にかかる電装品ユニットが採用された室外ユニットを示す斜視図（但し、右前板を除いた状態で図示）である。
【図２】図１から天板、左前板、右前板、左側板及び右側板を除いて示した斜視図である。
【図３】送風機室側から見た室外ユニットを示す斜視図（但し、圧縮機、底板、仕切板、固定脚及び電装品ユニットのみを図示）である。
【図４】機械室内に設けられた状態の電装品ユニットを前面側から見た斜視図（さらに、仕切板を２点鎖線で図示）である。
【図５】機械室内に設けられた状態の電装品ユニットを右側面側から見た斜視図（さらに、仕切板を２点鎖線で図示）である。
【図６】機械室内に設けられた状態の電装品ユニット及び仕切板の概略横断面図（但し、第１及び第２基板に実装された電装品、リアクタ及びヒートシンクを２点鎖線で図示）である。
【図７】機械室内に設けられた状態の電装品ユニットを仕切板側から見た図である。
【図８】機械室内に設けられる前の状態の電装品ユニットをヒートシンク側から見た図である。
【符号の説明】
【００５６】
２  ユニットケーシング（ケーシング）
５６  仕切板
６１  電装品ユニット
６２  ユニット躯体
６３  第１基板取付部
６４  第２基板取付部
７１  第１基板
８１  第２基板
８２  基板取付プレート
８３  支持プレート
８４  リアクタ
Ｓ１  送風機室
Ｓ２  機械室
Ｓ３  空間
Ｓ４  隙間
【図１】
2008298345.tif 000003
【図２】
2008298345.tif 000004
【図３】
2008298345.tif 000005
【図４】
2008298345.tif 000006
【図５】
2008298345.tif 000007
【図６】
2008298345.tif 000008
【図７】
2008298345.tif 000009
【図８】
2008298345.tif 000010